(57)【要約】【課題】外光の照度に応じて行う制御の信頼性を高める。【解決手段】表示手段と、表示手段の表示面の背面側に配置された照度検出手段と、表示手段の発光レベルが第１閾値以上である第１状態で照度検出手段により検出された照度が所定照度未満の場合、表示手段の発光レベルを、第１閾値よりも小さい所定レベル以下に低減した第２状態で照度検出手段により照度を検出させる制御手段と、を備えることを特徴とする電子機器が開示される。【選択図】図４
2019174718.tif 000002
【特許請求の範囲】
【請求項１】
表示手段と、
前記表示手段の表示面の背面側に配置された照度検出手段と、
前記表示手段の発光レベルが第１閾値以上である第１状態で前記照度検出手段により検出された照度が所定照度未満の場合、前記表示手段の発光レベルを、前記第１閾値よりも小さい所定レベル以下に低減した第２状態で前記照度検出手段により照度を検出させる制御手段と、
を備えることを特徴とする電子機器。
【請求項２】
前記照度検出手段により検出された照度に基づいて、前記表示手段の輝度を調節する調節手段を備え、
前記調節手段は、前記第１状態で前記照度検出手段により検出された照度が前記所定照度未満の場合、前記第２状態で前記照度検出手段により検出された照度に基づいて、前記表示手段の輝度を調節することを特徴とする請求項１に記載の電子機器。
【請求項３】
前記制御手段は、前記第１状態で前記照度検出手段により検出された照度が前記所定照度以上の場合、前記表示手段の発光レベルを維持した状態で、照度を検出させることを特徴とする請求項１又は２に記載の電子機器。
【請求項４】
前記所定照度は、前記表示手段の発光レベルが大きいほど低くなる態様で、前記表示手段の発光レベルに応じて変化することを特徴とする請求項１から３のいずれか１項に記載の電子機器。
【請求項５】
前記表示手段の発光レベルは、前記表示手段の輝度、又は、前記表示手段が点灯しているか否かを示す情報であることを特徴とする請求項１から４のいずれか１項に記載の電子機器。
【請求項６】
表示手段の表示面の背面側に配置された照度検出手段により検出された照度が所定照度未満であり、かつ、前記表示手段の発光レベルが第１閾値以上である場合に、前記表示手段の発光レベルを、前記第１閾値よりも小さい所定レベル以下に低減し、
前記表示手段の発光レベルが前記所定レベル以下に低減した後、前記照度検出手段により照度を検出させることを含む、コンピュータにより実行される照度検出方法。
【請求項７】
表示手段の表示面の背面側に配置された照度検出手段により検出された照度が所定照度未満であり、かつ、前記表示手段の発光レベルが第１閾値以上である場合に、前記表示手段の発光レベルを、前記第１閾値よりも小さい所定レベル以下に低減し、
前記表示手段の発光レベルが前記所定レベル以下に低減した後、前記照度検出手段により照度を検出させる処理を、コンピュータに実行させる照度検出プログラム。
【発明の詳細な説明】
【技術分野】
【０００１】
本発明は、電子機器、照度検出方法、及び照度検出プログラムに関する。
【背景技術】
【０００２】
表示部であるＯＬＥＤ（Ｏｒｇａｎｉｃ  Ｌｉｇｈｔ  Ｅｍｉｔｔｉｎｇ  Ｄｉｏｄｅ）の視認側とは背面側に照度センサを配置し、その照度センサによる外光の検出値に応じて、光量の調整を行う技術が知られている。
【先行技術文献】
【特許文献】
【０００３】
【特許文献１】米国特許出願公開第２０１４／０１３２１５８号明細書
【発明の概要】
【発明が解決しようとする課題】
【０００４】
しかしながら、上記のような従来技術では、表示部の発光レベル（例えば輝度）が比較的高くかつ外光の照度が比較的低くなるにつれて、照度センサの検出値に対する表示部からの光の寄与が大きくなり、外光の照度に応じて行う制御の信頼性を高めることが難しくなる。
【０００５】
そこで、１つの側面では、本発明は、外光の照度に応じて行う制御の信頼性を高めることを目的とする。
【課題を解決するための手段】
【０００６】
上記目的を達成するために、本発明の１つの側面では、表示手段と、
前記表示手段の表示面の背面側に配置された照度検出手段と、
前記表示手段の発光レベルが第１閾値以上である第１状態で前記照度検出手段により検出された照度が所定照度未満の場合、前記表示手段の発光レベルを、前記第１閾値よりも小さい所定レベル以下に低減した第２状態で前記照度検出手段により照度を検出させる制御手段と、を備えることを特徴とする電子機器が提供される。
【発明の効果】
【０００７】
１つの側面では、本発明によれば、表示部の発光レベルが比較的高くかつ外光の照度が比較的低い場合に、外光の照度に応じて行う制御の信頼性を高めることが可能となる。
【図面の簡単な説明】
【０００８】
【図１】本発明の一実施例である電子機器の概略図である。
【図２】電子機器のハードウェア構成を示すブロック図である。
【図３Ａ】電子機器の表示領域における照度センサの設置形態を示す模式図である。
【図３Ｂ】図３ＡにおけるＸ−Ｘ’断面を示す模式図である。
【図４】電子機器の機能ブロック図である。
【図５】輝度低減処理及び輝度制御処理の流れを説明するフローチャートである。
【図６】変形例を説明するフローチャートである。
【図７】図５の他の変形例を示すフローチャートである。
【発明を実施するための形態】
【０００９】
以下、添付図面を参照しながら各実施例について詳細に説明する。
【００１０】
図１は、本発明の一実施例である電子機器１の概略図である。図１に示すように、本実施例の電子機器１は、腕時計型の装置（スマートウォッチ等）として構成されている。また、電子機器１は、第１表示部１８及び第２表示部２４（後述）を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であるとともに、表示内容にタッチ操作することが可能となっている。
【００１１】
図２は、電子機器１のハードウェア構成を示すブロック図である。図２に示すように、電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、記憶部１４と、ＲＴＣ（Ｒｅａｌ  Ｔｉｍｅ  Ｃｌｏｃｋ）部１５と、ドライブ１６と、タッチパネル１７と、第１表示部１８（表示手段の一例）と、第１入力部１９と、ブルートゥース（登録商標）用アンテナ２０と、ブルートゥースモジュール２１と、無線ＬＡＮ（Ｌｏｃａｌ  Ａｒｅａ  Ｎｅｔｗｏｒｋ）アンテナ２２と、無線ＬＡＮモジュール２３と、第２表示部２４と、脈拍センサ２５と、地磁気センサ２６と、加速度センサ２７と、ジャイロセンサ２８と、照度センサ２９（照度検出手段の一例）と、第２入力部３０と、ＧＰＳ（Ｇｌｏｂａｌ  Ｐｏｓｉｔｉｏｎｉｎｇ  Ｓｙｓｔｅｍ）アンテナ３１と、ＧＰＳモジュール３２と、を備えている。
【００１２】
ＣＰＵ１１は、第１ＣＰＵ１１Ａと、第２ＣＰＵ１１Ｂとによって構成される。第１ＣＰＵ１１Ａは、各種演算処理を行い、ＯＳ（Ｏｐｅｒａｔｉｎｇ  Ｓｙｓｔｅｍ）の処理を実行することにより、電子機器１におけるスマートフォンに類する機能を制御する。本実施例において、第１ＣＰＵ１１Ａは、ブルートゥースモジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
【００１３】
また、本実施例において、第１ＣＰＵ１１Ａは、ＲＴＣ部１５から所定タイミングで時刻信号を取得する。
【００１４】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施例において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１５】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００１６】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００１７】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１４には、スマートフォンに類する各種機能や腕時計の機能等において生成された各種データ（各種設定内容のデータ等）が記憶される。
【００１８】
ドライブ１６には、磁気ディスク、光ディスク、光磁気ディスク、あるいは半導体メモリ等よりなる、リムーバブルメディア４１が適宜装着される。リムーバブルメディア４１は、各種センサによって検出されたデータ等の各種データを記憶することができる。
【００１９】
タッチパネル１７は、第２表示部２４の表示画面上に設けられた静電容量方式または抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００２０】
第１表示部１８は、有機ＥＬディスプレイ（ＯＬＥＤ）によって構成され、第１ＣＰＵ１１Ａの制御に従って、各種情報を表示画面に表示する。
【００２１】
第１入力部１９は、音声を電気信号に変換するマイクを備え、入力された音声（操作のための音声コマンド等）を示す信号を第１ＣＰＵ１１Ａに出力する。
【００２２】
ブルートゥース用アンテナ２０は、ブルートゥースの規格に基づく電磁波を送受信するアンテナであり、例えばモノポールアンテナ等によって構成される。ブルートゥース用アンテナ２０は、ブルートゥースモジュール２１から入力された無線通信の電気信号を電磁波として送信したり、受信した電磁波を電気信号に変換してブルートゥースモジュール２１に出力したりする。
【００２３】
ブルートゥースモジュール２１は、第１ＣＰＵ１１Ａの指示に従って、ブルートゥース用アンテナ２０を介して他の装置に信号を送信する。また、ブルートゥースモジュール２１は、他の装置から送信された信号を受信し、受信した信号が示す情報を第１ＣＰＵ１１Ａに出力する。  無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
【００２４】
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００２５】
第２表示部２４は、部分的にまたは全体的に光を透過可能なＰＮ（Ｐｏｌｙｍｅｒ  Ｎｅｔｗｏｒｋ）液晶ディスプレイから構成され、第２ＣＰＵ１１Ｂの制御に従って、各種情報を表示画面に表示（ここではセグメント表示）する。
【００２６】
本実施例において、第２表示部２４であるＰＮ液晶ディスプレイは、例えば、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。すなわち、電子機器１の表示領域では、第１表示部１８による表示に第２表示部２４による表示を重ね合わせた状態で表示することができるようになっている。
【００２７】
脈拍センサ２５は、電子機器１の裏面側（ユーザの腕に面する側）に設置され、電子機器１が装着されたユーザの脈拍を検出する。
【００２８】
地磁気センサ２６は、地磁気の方向を検出し、検出した地磁気の方向を示す情報を第２ＣＰＵ１１Ｂに出力する。
【００２９】
加速度センサ２７は、電子機器１における３軸方向の加速度を検出し、検出した加速度を示す情報を第２ＣＰＵ１１Ｂに出力する。
【００３０】
ジャイロセンサ２８は、電子機器１における３軸方向の角速度を検出し、検出した角速度を示す情報を第２ＣＰＵ１１Ｂに出力する。
【００３１】
照度センサ２９は、第１表示部１８の裏面側の所定箇所に設置され、電子機器１の表示領域における明るさ（照度）を検出し、検出した明るさを示す情報を第２ＣＰＵ１１Ｂに出力する。
【００３２】
図３Ａは、電子機器１の表示領域における照度センサ２９の設置形態を示す模式図である。また、図３Ｂは、図３ＡにおけるＸ−Ｘ’断面を示す模式図である。
【００３３】
図３Ａに示すように、照度センサ２９は、第１表示部１８及び第２表示部２４の表示領域における所定箇所（図３Ｂにおいては、破線で示す中央右下の位置）に設置される。
また、図３Ｂに示すように、電子機器１の表示領域は、表面側からカバーガラスＣＧ、タッチパネル１７、第２表示部２４、第１表示部１８、黒色シートＢＳ、メイン基板ＭＢの順に積層された断面構造を有している。
【００３４】
これらのうち、黒色シートＢＳは、第２表示部２４及び第１表示部１８を透過して視認した場合の発色を調整する部材であり、本実施例では、黒色が視認される構成となっている。また、黒色シートＢＳの一部には、貫通穴Ｈが形成されており、この貫通穴Ｈの中に照度センサ２９が設置されている。そのため、照度センサ２９には、電子機器１の表示領域における表面側から光が入射する構造となっており、電子機器１が明るい外光下に置かれ、表示領域の照度が高くなっていること等を検出することができる。その反面、照度センサ２９には第１表示部１８からの光が入射するので、照度センサ２９の検出値は、第１表示部１８からの光の影響を受ける。
【００３５】
図２に戻り、第２入力部３０は、各種ボタンで構成され、ユーザの指示操作に応じて各種情報を入力する。
【００３６】
ＧＰＳアンテナ３１は、ＧＰＳにおける衛星から発信される電波を受信して電気信号に変換し、変換した電気信号（以下、「ＧＰＳ信号」と称する。）をＧＰＳモジュール３２に出力する。
【００３７】
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００３８】
次に、電子機器１の機能的構成について説明する。図４は、図２の電子機器１の機能的構成のうち、輝度制御処理を実行するための機能的構成を示す機能ブロック図である。
【００３９】
輝度制御処理とは、外光の明るさ（照度）に応じて第１表示部１８の表示画面の輝度を制御する処理である。
【００４０】
輝度制御処理が実行される場合、図４に示すように、第１ＣＰＵ１１Ａにおいて、照度情報取得部５１と、輝度低減処理部５２（制御手段の一例）と、輝度制御部５３（調整手段の一例）と、が機能し、第２ＣＰＵ１１Ｂにおいて、センサ情報取得部６１が機能する。
【００４１】
照度情報取得部５１は、第２ＣＰＵ１１Ｂのセンサ情報取得部６１によって検出された照度を取得する。
【００４２】
輝度低減処理部５２は、第１表示部１８の輝度（発光レベルの一例）が第１閾値以上である第１状態でセンサ情報取得部６１によって検出された照度が所定照度未満の場合、第１表示部１８の輝度を、第１閾値よりも小さい所定レベル以下に低減する輝度低減処理を行う。以下、輝度低減処理により第１表示部１８の輝度が所定レベル以下に低減した状態を、「第２状態」とも称する。
【００４３】
第２状態が形成されると、照度センサ２９の検出値に対する第１表示部１８からの光の寄与が有意に小さくなる。これにより、第１状態における照度センサ２９の検出値よりも、第２状態における照度センサ２９の検出値のほうが、信頼性が高くなる。なお、ここでは、外光のみの照度を表しているほど照度センサ２９の検出値の信頼性が高いものとする。
【００４４】
このように輝度低減処理部５２は、輝度低減処理を行うことで、照度センサ２９の検出値の信頼性を高める機能を有する。照度センサ２９の検出値の信頼性が高まると、輝度制御処理の信頼性が向上する。
【００４５】
第１閾値は、０よりも大きい値であり、固定値であってもよいし、可変値であってもよい。第１閾値が０よりも大きい値であるので、第１状態は、第１表示部１８が発光している状態である。所定レベルは、第１閾値よりも小さい値であり、例えば０であってよい。０の場合、第２状態は、第１表示部１８が発光していない状態である。
【００４６】
所定照度は、外光の照度が比較的低い状態を検出できるように適合されてよい。所定照度は、固定値であってもよいし、可変値であってもよい。可変値である場合、所定照度は、第１表示部１８の輝度が大きいほど低くなる態様で、第１表示部１８の輝度に応じて変化する（後出の図７参照）。これは、第１表示部１８の輝度が大きいほど、照度センサ２９の検出値に対する第１表示部１８からの光の寄与が大きくなるためである。
【００４７】
輝度低減処理部５２は、輝度低減処理として、第１表示部１８の全体の輝度を所定レベル以下に低減することとしてもよい。あるいは、輝度低減処理部５２は、輝度低減処理として、第１表示部１８の一部の輝度、具体的には第１表示部１８における照度センサ２９に重なる部分（以下、「照度センサ２９の真上部分」と称する）の輝度だけを、所定レベル以下に低減することとしてもよい。この場合、例えば第１表示部１８に出力される画像に係る画像信号における所定画素領域の信号が、“黒色”を表すように変更されてもよい。この場合、所定画素領域は、第１表示部１８における照度センサ２９の真上部分の画素領域である。
【００４８】
輝度制御部５３は、照度情報取得部５１によって取得された照度に基づいて、第１表示部１８の輝度を制御する。すなわち、輝度制御部５３は、電子機器１が明るい（照度が高い）環境に置かれている場合、表示画面が相対的に暗くなり、視認し難くなること防ぐため、検出された照度に応じた高い輝度に第１表示部１８の輝度を制御する。一方、輝度制御部５３は、電子機器１が暗い（照度が低い）環境に置かれている場合、表示画面が過度に明るくなり、視認し難くなること防ぐため、検出された照度に応じた低い輝度に第１表示部１８の輝度を制御する。なお、照度に対応する輝度の値は、例えば、テーブル形式のデータあるいは所定の関数として電子機器１に保持されており、輝度制御部５３は、これらテーブル形式のデータまたは所定の関数を適宜参照して輝度を制御する。
【００４９】
センサ情報取得部６１は、照度センサ２９によって検出された照度等、各種センサによって検出された検出値を取得する。
【００５０】
図５は、図４の機能的構成を有する図１の電子機器１が実行する輝度低減処理及び輝度制御処理の流れを説明するフローチャートである。
【００５１】
輝度制御処理は、電子機器１の電源投入とともに開始され、電子機器１の電源をオフする操作が行われた場合に終了する。
【００５２】
ステップＳ１において、第２ＣＰＵ１１Ｂのセンサ情報取得部６１は、照度センサ２９から照度の検出値を取得する。
【００５３】
ステップＳ２において、第２ＣＰＵ１１Ｂのセンサ情報取得部６１は、ステップＳ１で取得した照度の検出値が所定照度未満であるか否かを判定する。照度の検出値が所定照度未満であると判定された場合は、ステップＳ３に進む。他方、照度の検出値が所定照度未満でないと判定された場合は、ステップＳ１１に進む。
【００５４】
ステップＳ３において、第２ＣＰＵ１１Ｂは、第１ＣＰＵ１１Ａから、第１表示部１８の現在の状態を表す情報（以下、「第１表示部情報」という）を取得する。第１表示部情報は、第１表示部１８が点灯しているか否かを表す２値の情報であってもよいし、第１表示部１８の点灯の際の輝度を表す情報であってもよい。
【００５５】
ステップＳ４において、第２ＣＰＵ１１Ｂは、ステップＳ３で得た第１表示部情報に基づいて、第１表示部１８が点灯しているか否かを判定する。すなわち、第２ＣＰＵ１１Ｂは、ステップＳ３で得た第１表示部情報に基づいて、第１表示部１８の輝度が第１閾値以上か否かを判定する。この場合、第１閾値は、第１表示部１８が点灯している場合の輝度の最小値に対応してよい。第１表示部１８が点灯していると判定された場合は、ステップＳ５に進み、それ以外の場合は、終了する。
【００５６】
ステップＳ５において、第２ＣＰＵ１１Ｂは、第１ＣＰＵ１１Ａに対して輝度低減処理を要求する。
【００５７】
ステップＳ６において、第１ＣＰＵ１１Ａの輝度低減処理部５２は、輝度低減処理を行う。輝度低減処理は、上述のとおりである。輝度低減処理が実行されると、上述のように、第２状態が形成される。
【００５８】
ステップＳ７において、第１ＣＰＵ１１Ａは、輝度低減処理を行ったことを第２ＣＰＵ１１Ｂに通知する。
【００５９】
ステップＳ８において、第２ＣＰＵ１１Ｂのセンサ情報取得部６１は、照度センサ２９から照度の検出値を取得する。このとき得られる照度の検出値は、第２状態において得られた検出値である。
【００６０】
ステップＳ９において、第２ＣＰＵ１１Ｂは、第１ＣＰＵ１１Ａに対して輝度低減処理を終了するように要求する。
【００６１】
ステップＳ１０において、第１ＣＰＵ１１Ａは、ステップＳ９の要求を受けて、第１表示部１８を点灯させる（すなわち輝度低減処理を行う前の状態に戻す）。
【００６２】
ステップＳ１１において、第２ＣＰＵ１１Ｂのセンサ情報取得部６１は、ステップＳ１で得た照度の検出値又はステップＳ８で得た照度の検出値を第１ＣＰＵ１１Ａに通知する。具体的には、センサ情報取得部６１は、ステップＳ２で判定結果が“ＮＯ”である場合は、ステップＳ１で得た照度の検出値を、第１ＣＰＵ１１Ａに通知する。他方、センサ情報取得部６１は、ステップＳ２で判定結果が“ＹＥＳ”である場合は、ステップＳ８で得た照度の検出値を、第１ＣＰＵ１１Ａに通知する。この場合、第１ＣＰＵ１１Ａの照度情報取得部５１は、第２状態において得られた照度の検出値を取得する。
【００６３】
ステップＳ１２において、第１ＣＰＵ１１Ａの輝度制御部５３は、ステップＳ１１で得た照度の検出値（第２状態において得られた検出値）に基づいて、輝度制御処理を実行する。輝度制御処理は、上述のとおりである。電子機器１の電源をオフする操作が行われた場合、輝度制御処理は終了し、表示が継続する場合、処理はステップＳ１に戻り繰り返される。
【００６４】
このような処理により、電子機器１においては、照度センサ２９により検出された照度に応じて、第１表示部１８の表示画面の輝度が調整される。そして、照度センサ２９により検出された照度が予め設定された所定照度未満となった場合には、第１表示部１８が点灯しているか否かの判定が行われる。そして、第１表示部１８が点灯している場合には、照度センサ２９の検出値に対する第１表示部１８からの光の寄与が大きいと推定されることから、輝度低減処理によって第１表示部１８の輝度が一時的に低下される。これにより、照度センサ２９の検出値に対する第１表示部１８からの光の寄与が低減され、信頼性の高い照度の検出値が得られる。この結果、信頼性の高い照度の検出値に基づいて輝度制御処理を実行でき、外光の照度に応じて行う制御（輝度制御処理）の信頼性を高めることができる。
【００６５】
図６は、図５の変形例を示すフローチャートである。
【００６６】
図６に示す処理は、図５に示した処理に対して、ステップＳ４がステップＳ４−１及びステップＳ４−２で置換された点が異なる。
【００６７】
ステップＳ４−１において、第２ＣＰＵ１１Ｂは、ステップＳ１で取得した照度の検出値に基づいて、第１閾値を設定する。このとき、第１閾値は、照度の検出値の所定割合（例えば９０％）に設定されてよい。
【００６８】
ステップＳ４−２において、第２ＣＰＵ１１Ｂは、ステップＳ３で得た第１表示部情報に基づいて、第１表示部１８の輝度が、ステップＳ４−１で設定した第１閾値以上であるか否かを判定する。第１表示部１８の輝度が第１閾値以上である場合は、ステップＳ５に進み、それ以外の場合は、終了する。
【００６９】
このような処理により、電子機器１においては、照度センサ２９により検出された照度に応じて、第１表示部１８の表示画面の輝度が調整される。そして、照度センサ２９により検出された照度が予め設定された所定照度未満となった場合には、第１表示部１８の輝度が、検出された照度に応じた第１閾値以上であるか否かの判定が行われる。そして、第１表示部１８の輝度が第１閾値以上である場合には、照度センサ２９の検出値に対する第１表示部１８からの光の寄与が大きいと推定されることから、輝度低減処理によって第１表示部１８の輝度が一時的に低下される。これにより、照度センサ２９の検出値に対する第１表示部１８からの光の寄与が低減され、信頼性の高い照度の検出値が得られる。この結果、信頼性の高い照度の検出値に基づいて輝度制御処理を実行でき、外光の照度に応じて行う制御（輝度制御処理）の信頼性を高めることができる。
【００７０】
図７は、図５の他の変形例を示すフローチャートである。
【００７１】
図７に示す処理は、図５に示した処理に対して、ステップＳ３が無くされ、ステップＳ０−１及びステップＳ０−２が追加され、かつ、ステップＳ２及びステップＳ４がステップＳ２−１及びステップＳ４Ａで置換された点が異なる。
【００７２】
ステップＳ０−１において、第２ＣＰＵ１１Ｂは、第１ＣＰＵ１１Ａから、第１表示部１８の現在の状態を表す情報（第１表示部情報）を取得する。図７では、第１表示部情報は、第１表示部１８の点灯の際の輝度を表す情報である。
【００７３】
ステップＳ０−２において、第２ＣＰＵ１１Ｂは、ステップＳ０−１で得た第１表示部情報に基づいて、第１表示部１８の輝度に応じた所定照度を設定する。この際、第２ＣＰＵ１１Ｂは、第１表示部１８の輝度が大きいほど所定照度が低くなる態様で、所定照度を設定する。すなわち、第２ＣＰＵ１１Ｂは、第１表示部１８の輝度に基づいて、所定照度を可変する。
【００７４】
ステップＳ２−１において、第２ＣＰＵ１１Ｂのセンサ情報取得部６１は、ステップＳ１で取得した照度の検出値が、ステップＳ０−２で設定した所定照度よりも小さいか否かを判定する。照度の検出値が所定照度未満であると判定された場合は、ステップＳ４Ａに進み、それ以外の場合は、ステップＳ１１に進む。
【００７５】
ステップＳ４Ａにおいて、第２ＣＰＵ１１Ｂは、ステップＳ０−１で得た第１表示部情報に基づいて、第１表示部１８が点灯しているか否かを判定する。すなわち、第２ＣＰＵ１１Ｂは、ステップＳ０−１で得た第１表示部情報に基づいて、第１表示部１８の輝度が第１閾値以上か否かを判定する。この場合、第１閾値は、第１表示部１８が点灯している場合の輝度の最小値に対応してよい。第１表示部１８が点灯していると判定された場合は、ステップＳ５に進み、それ以外の場合は、終了する。
【００７６】
なお、図７では、ステップＳ１１において、第２ＣＰＵ１１Ｂのセンサ情報取得部６１は、ステップＳ１で得た照度の検出値又はステップＳ８で得た照度の検出値を第１ＣＰＵ１１Ａに通知する。具体的には、センサ情報取得部６１は、ステップＳ２−１で判定結果が“ＮＯ”である場合は、ステップＳ１で得た照度の検出値を、第１ＣＰＵ１１Ａに通知する。他方、センサ情報取得部６１は、ステップＳ２−１で判定結果が“ＹＥＳ”である場合は、ステップＳ８で得た照度の検出値を、第１ＣＰＵ１１Ａに通知する。この場合、第１ＣＰＵ１１Ａの照度情報取得部５１は、第２状態において得られた照度の検出値を取得する。
【００７７】
このような処理により、電子機器１においては、照度センサ２９により検出された照度に応じて、第１表示部１８の表示画面の輝度が調整される。そして、照度センサ２９により検出された照度が、第１表示部１８の輝度に応じた所定照度未満となった場合には、第１表示部１８の輝度が、検出された照度に応じた第１閾値以上であるか否かの判定が行われる。そして、第１表示部１８の輝度が第１閾値以上である場合には、照度センサ２９の検出値に対する第１表示部１８からの光の寄与が大きいと推定されることから、輝度低減処理によって第１表示部１８の輝度が一時的に低下される。これにより、照度センサ２９の検出値に対する第１表示部１８からの光の寄与が低減され、信頼性の高い照度の検出値が得られる。この結果、信頼性の高い照度の検出値に基づいて輝度制御処理を実行でき、外光の照度に応じて行う制御（輝度制御処理）の信頼性を高めることができる。
【００７８】
なお、上述した一連の処理は、ハードウェアにより実行させることもできるし、ソフトウェアにより実行させることもできる。
【００７９】
換言すると、上記のような機能的構成は例示に過ぎず、特に限定されない。すなわち、上述した一連の処理を全体として実行できる機能が電子機器１に備えられていれば足り、この機能を実現するためにどのような機能ブロックを用いるのかは、特に上記のような機能的構成に限定されない。また、１つの機能ブロックは、ハードウェア単体で構成してもよいし、ソフトウェア単体で構成してもよいし、それらの組み合わせで構成してもよい。
【００８０】
本実施例における機能的構成は、演算処理を実行するプロセッサによって実現され、本実施例に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００８１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８２】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１４に含まれる半導体メモリ等で構成される。
【００８３】
なお、本明細書において、記録媒体に記録されるプログラムを記述するステップは、その順序に沿って時系列的に行われる処理はもちろん、必ずしも時系列的に処理されなくても、並列的あるいは個別に実行される処理をも含むものである。
【００８４】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８５】
例えば、上述の実施例では、電子機器１は第１表示部１８と第２表示部２４とを備えるものとしたが、それに限らず、電子機器１は第１表示部１８のみを備えるものであってもよい。
【００８６】
また、上述の実施形態では、表示内容が表示される第１表示部１８がＯＬＥＤで構成されるが、液晶ディスプレイ等の他の表示装置で構成されてもよい。
【００８７】
また、上述の実施例では、電子機器１のＣＰＵ１１は第１ＣＰＵ１１Ａと第２ＣＰＵ１１Ｂとからなるものとしたが、それに限らず、ＣＰＵ１１は第１ＣＰＵ１１Ａの機能と第２ＣＰＵ１１Ｂの機能の両方を備える１つのＣＰＵであってもよい。
【００８８】
また、上述の実施例では、本発明が適用される電子機器１は、デジタルカメラ腕時計型の装置（スマートウォッチ等）を例として説明したが、特にこれに限定されない。例えば、本発明は、輝度調整機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００８９】
以下に、この出願の願書に最初に添付した特許請求の範囲に記載した発明を付記する。付記に記載した請求項の項番は、この出願の願書に最初に添付した特許請求の範囲の通りである。
＜請求項１＞
表示手段と、
前記表示手段の表示面の背面側に配置された照度検出手段と、
前記表示手段の発光レベルが第１閾値以上である第１状態で前記照度検出手段により検出された照度が所定照度未満の場合、前記表示手段の発光レベルを、前記第１閾値よりも小さい所定レベル以下に低減した第２状態で前記照度検出手段により照度を検出させる制御手段と、
を備えることを特徴とする電子機器。
＜請求項２＞
前記照度検出手段により検出された照度に基づいて、前記表示手段の輝度を調節する調節手段を備え、
前記調節手段は、前記第１状態で前記照度検出手段により検出された照度が前記所定照度未満の場合、前記第２状態で前記照度検出手段により検出された照度に基づいて、前記表示手段の輝度を調節することを特徴とする請求項１に記載の電子機器。
＜請求項３＞
前記制御手段は、前記第１状態で前記照度検出手段により検出された照度が前記所定照度以上の場合、前記表示手段の発光レベルを維持した状態で、照度を検出させることを特徴とする請求項１又は２に記載の電子機器。
＜請求項４＞
前記所定照度は、前記表示手段の発光レベルが大きいほど低くなる態様で、前記表示手段の発光レベルに応じて変化することを特徴とする請求項１から３のいずれか１項に記載の電子機器。
＜請求項５＞
前記表示手段の発光レベルは、前記表示手段の輝度、又は、前記表示手段が点灯しているか否かを示す情報であることを特徴とする請求項１から４のいずれか１項に記載の電子機器。
＜請求項６＞
表示手段の表示面の背面側に配置された照度検出手段により検出された照度が所定照度未満であり、かつ、前記表示手段の発光レベルが第１閾値以上である場合に、前記表示手段の発光レベルを、前記第１閾値よりも小さい所定レベル以下に低減し、
前記表示手段の発光レベルが前記所定レベル以下に低減した後、前記照度検出手段により照度を検出させることを含む、コンピュータにより実行される照度検出方法。
＜請求項７＞
表示手段の表示面の背面側に配置された照度検出手段により検出された照度が所定照度未満であり、かつ、前記表示手段の発光レベルが第１閾値以上である場合に、前記表示手段の発光レベルを、前記第１閾値よりも小さい所定レベル以下に低減し、
前記表示手段の発光レベルが前記所定レベル以下に低減した後、前記照度検出手段により照度を検出させる処理を、コンピュータに実行させる照度検出プログラム。
【符号の説明】
【００９０】
１  電子機器
１１Ａ  第１ＣＰＵ
１１Ｂ  第２ＣＰＵ
１４  記憶部
１５  ＲＴＣ部
１６  ドライブ
１７  タッチパネル
１８  第１表示部
１９  第１入力部
２０  ブルートゥース用アンテナ
２１  ブルートゥースモジュール
２２  無線ＬＡＮアンテナ
２３  無線ＬＡＮモジュール
２４  第２表示部
２５  脈拍センサ
２６  地磁気センサ
２７  加速度センサ
２８  ジャイロセンサ
２９  照度センサ
３０  第２入力部
３１  ＧＰＳアンテナ
３２  ＧＰＳモジュール
４１  リムーバブルメディア
５１  照度情報取得部
５２  輝度低減処理部
５３  輝度制御部
６１  センサ情報取得部
【図１】
2019174718.tif 000003
【図２】
2019174718.tif 000004
【図３Ａ】
2019174718.tif 000005
【図３Ｂ】
2019174718.tif 000006
【図４】
2019174718.tif 000007
【図５】
2019174718.tif 000008
【図６】
2019174718.tif 000009
【図７】
2019174718.tif 000010